(57)【要約】　　　（修正有）【課題】ディスク再生装置における表示モードを第１の文字表示態様にしておいても第２の文字表示態様に基づく文字を表示することができると共に、逆に表示モードを第２の文字表示態様にしておいても第１の文字表示態様に基づく文字を表示することができる、ディスク再生装置におけるグループ名の表示制御装置。【解決手段】光ピックアップ２と信号処理部３と再生操作キー４と表示部５が接続されたＣＰＵ１に接続されたセクタ判定部６は、再生されているミニディスクＤがセクタ１とセクタ４にどのような文字表示をするモードになっているかをソフト的に判定する。セクタ１しかグループ管理していないミニディスクＤを再生し、表示セクタ４にしていたときでも、グループ名称を見たいときは、セクタ１に格納されているグループ名称が表示される。グループサーチ中においてもグループ名称を見ながら所望のグループを選択することができる。【選択図】　　　図１
2004079080.tif 000002
【特許請求の範囲】
【請求項１】
複数の曲データのそれぞれのタイトル名称データとグループ化名称データが、第１の文字表示態様で記録された第１の文字データ格納クラスタに基づいて行われる第１の文字表示モードと、
前記複数の曲データそれぞれのタイトル名称データとグループ化名称データが、前記第１の文字表示態様とは異なる態様の第２の文字表示態様で記録された第２の文字データ格納クラスタに基づいて行われる第２の文字表示モードとを選択して文字表示し得るディスク再生装置において、
前記第１の文字データ格納クラスタにグループ化名称データが格納され、前記第２の文字データ格納クラスタにグループ化名称データが格納されていないディスクを再生したときに、
前記第２の文字表示モードが選択されているときに、前記第１の文字データ格納クラスタに格納されているグループ化名称データを表示し得るように表示制御することを特徴とするディスク再生装置におけるグループ名の表示制御装置。
【請求項２】
複数の曲データのそれぞれのタイトル名称データとグループ化名称データが、第１の文字表示態様で記録された第１の文字データ格納クラスタに基づいて行われる第１の文字表示モードと、
前記複数の曲データそれぞれのタイトル名称データとグループ化名称データが、前記第１の文字表示態様とは異なる態様の第２の文字表示態様で記録された第２の文字データ格納クラスタに基づいて行われる第２の文字表示モードとを選択して文字表示し得るディスク再生装置において、
前記第２の文字データ格納クラスタにグループ化名称データが格納され、前記第１の文字データ格納クラスタにグループ化名称データが格納されていないディスクを再生したときに、
前記第１の文字表示モードが選択されているときに、前記第２の文字データ格納クラスタに格納されているグループ化名称データを表示し得るように表示制御することを特徴とするディスク再生装置におけるグループ名の表示制御装置。
【請求項３】
前記第１の文字データ格納クラスタは、ＭＤ規格のクラスタ１で構成することを特徴とする請求項１または請求項２に記載のディスク再生装置におけるグループ名の表示制御装置。
【請求項４】
前記第２の文字データ格納クラスタは、ＭＤ規格のクラスタ４で構成することを特徴とする請求項１または請求項２に記載のディスク再生装置におけるグループ名の表示制御装置。
【請求項５】
前記複数の曲データのそれぞれは、音声信号で構成することを特徴とする請求項１または請求項２に記載のディスク再生装置におけるグループ名の表示制御装置。
【請求項６】
前記複数の曲データのそれぞれは、音声信号に付随する映像信号を含んで構成することを特徴とする請求項１または請求項２に記載のディスク再生装置におけるグループ名の表示制御装置。
【発明の詳細な説明】
【０００１】
【発明の属する技術分野】
本発明は、ディスク再生装置におけるグループ名の表示制御装置に関する。
【０００２】
【従来の技術】
一般に、ミニディスク（以下、ＭＤと略称する）を用いて行われる記録は、ＡＴＲＡＣと呼ばれる高度の音声圧縮技術が用いられていて従来からのＣＤに比して実質的な遜色が無い音質を得ることができると共に、ディスク寸法が極めて小型であるために携帯型機器に適していて、従来のカセットテーププレーヤに取って代わる勢いで普及が進んでいる。
【０００３】
ＭＤの出現初期には、曲トラックに付随するディスク名、トラック名等の表示情報をＭＤ規格で規定されるセクタ１にアスキーコードを用いて格納し、再生時に当該セクタ１の内容を解読して再生機器の表示器に英字と数字を用いて文字表示していた。
【０００４】
その後、セクタ１へのデータ格納の方式を改良して、英字と数字以外の文字、即ちカタカナ文字を再生機器の表示器に表示させることができるようになり、さらに技術が発展して漢字を再生機器の表示器に表示させることができるようになった。
【０００５】
漢字を再生機器の表示器に表示させる場合には、従来のセクタ１の領域にデータ格納することが困難であったために、当該セクタ１とは独立しているセクタ４にシフトＪＩＳ形式で漢字情報を格納し、セクタ４に漢字情報が格納されたＭＤの再生時に当該セクタ４の内容を解読して再生機器の表示器に漢字を用いた文字表示を行っている。
【０００６】
そして、記録済みのＭＤを再生したときにセクタ１及び／またはセクタ４の領域に文字データが記録されている場合に対応できるようにセクタ１とセクタ４を切り換えることができ、いずれの場合にも確実に文字表示を再現できるディスク再生装置が主流となっている。
【０００７】
従って、表示セクタをセクタ１に設定しているＭＤを再生するときには、セクタ１の文字情報を表示し、表示セクタをセクタ４に設定しているＭＤを再生するときには、セクタ４の文字情報を表示させることができる。
【０００８】
また、セクタ１とセクタ４に基づく表示内容は、ディスクイトル、トラックタイトル、グループ名、再生時間等々の表示をユーザーが選択できるようにディスク再生装置が構成されている。このために、セクタ１の場合には、カナ、英字、数字等の１バイトの文字コードで表示され、セクタ４の場合には、漢字等の２バイトの文字コードで表示される。
【０００９】
一方、グループ管理されているＭＤの場合には、グループサーチ、次グループへのジャンプ、前グループへのジャンプ等の機能があり、その操作はグループ名の表示を見ながら所望のグループを探すことができる。このときのグループ名の表示はセクタ１とセクタ４のいずれに設定されているかに応じて表示態様が変わることになる。
【００１０】
以上の機能を具体的に説明すると、先ず、グループ管理の有無をチェックする動作が図３に示すフローチャートのように開始されると、ステップＳ１でユースドセクタの第１ビットが“１”であるか否かの判定がなされ、“０”の場合（Ｎｏの場合）にはグループ管理がされていないディスクであるのでグループ管理無しを意味する「Ａ」という表示を行い一連動作を終了する。
【００１１】
ステップＳ１による判定でユースドセクタの第１ビットが“１”であると判定された場合（Ｙｅｓの場合）には、ステップＳ３に進んでセクタ１のディスクタイトルを信号処理回路から読み込んだ後に、ステップＳ４に進んで現在再生中のディスクがグループ管理されているかどうかのチェックを開始し、次のステップＳ５でグループ管理されているか否かの判定がなされ、管理されていない場合（Ｎｏの場合）にはステップＳ２に進んでグループ管理無しを意味するＡ状態と決定して一連動作を終了する。
【００１２】
ステップＳ５によりグループ管理されていると判定された場合（Ｙｅｓの場合）にはステップＳ６に進んでユースドセクタの第４ビットが“１”であるか否かの判定がなされ、“１”の場合（Ｙｅｓの場合）には、ステップＳ７に進み、セクタ４に格納されているディスクタイトルを信号処理部から読み込んだ後にステップＳ８に進んで現在再生中のディスクがグループ管理されているかどうかのチェックを開始し、次のステップＳ９でグループ管理されているか否かの判定がなされ、管理されていない場合（Ｎｏの場合）には、ステップＳ１０に進んでグループ管理無しのセクタ１を意味するＢ状態と決定して一連動作を終了する。
【００１３】
また、ステップＳ９によりグループ管理されていると判定された場合（Ｙｅｓの場合）にはステップＳ１１に進んでセクタ１とセクタ４の整合性がＯＫであるか否かの判定がなされ、整合性が無い場合（Ｎｏの場合）にはステップＳ１０に進んでグループ管理無しのセクタ１を意味する「Ｂ」という表示を行い一連動作を終了し、ステップＳ１１で整合性ありと判定された場合（Ｙｅｓの場合）には、ステップＳ１２に進んでグループ管理ありのセクタ１とセクタ４を意味するＣ状態と決定して一連動作を終了する。
【００１４】
そして、グループ名の表示は、図４に示すフローチャートのように、先ずステップＳ１３によってグループ管理なしか否かの判定がなされ、管理なしの場合（Ｙｅｓの場合）にはステップＳ１４に進んでグループ管理無しを意味するＮＯ　ＧＲＯＵＰと表示して一連動作を終了する。
【００１５】
また、ステップＳ１３によりグループ管理ありと判定された場合（Ｎｏの場合）にはステップＳ１５に進んで表示セクタがセクタ４に設定されているか否かが判定され、設定されていない場合（Ｎｏの場合）には、ステップＳ１６に進んでセクタ１のグループ名が有るか否かが判定され、グループ名が無しの場合（Ｎｏの場合）にはステップＳ１７に進んで、グループ＊＊と表示して一連動作を終了する。なお、この＊＊はグループの数であり例えば最大で９９までに対応している。
【００１６】
さて、ステップＳ１５によって表示セクタがセクタ４に設定されていると判定された場合（Ｙｅｓの場合）には、ステップＳ２０に進んでセクタ４のグループ管理が無しであるか否かが判定され、グループ管理が無しの場合（Ｙｅｓの場合）にはステップＳ２１に進んで、グループ＊＊と表示して一連動作を終了する。なお、この＊＊はグループの数であり例えば最大で９９までに対応していてこれ以降の説明においても同様である。
【００１７】
ステップＳ２０でセクタ４のグループ管理が有りと判定された場合（Ｎｏの場合）にはステップＳ２２に進んでセクタ１のグループ名が有るか否かが判定され、グループ名が無しの場合（Ｎｏの場合）にはステップＳ２３に進んで、グループ＊＊と表示して一連動作を終了する。
【００１８】
ステップＳ２２によってセクタ４のグループ名が有ると判定された場合（Ｙｅｓの場合）にはステップＳ２４に進んで、セクタ４のディスクタイトルを信号処理部から読み込んだ後にステップＳ２５に進んでグループ名の数字を具体的に表示して一連動作を終了する。
【００１９】
従って、ディスク再生装置は、複数の曲データのそれぞれのタイトル名称データとグループ化名称データが、第１の文字表示態様で記録された第１の文字データ格納クラスタに基づいて行われる第１の文字表示モードと、前記複数の曲データそれぞれのタイトル名称データとグループ化名称データが、前記第１の文字表示態様とは異なる態様の第２の文字表示態様で記録された第２の文字データ格納クラスタに基づいて行われる第２の文字表示モードとを選択して文字表示し得るように構成され動作することになる。
【００２０】
【発明が解決しようとする課題】
従来のディスク再生装置におけるグループ名の表示制御装置は、グループ管理の機能を第１の文字表示態様（セクタ１）のみで管理していることが多く、表示を第２の文字表示態様（セクタ４）にしておいて表示内容をグループ名で表示したときにグループ名を見ることができず、また、グループサーチを行うときに実際のグループ名を見ながらサーチを行うことができず使い勝手に劣るという問題がある。
【００２１】
そこで、本発明の目的は、ディスク再生装置における表示モードを第１の文字表示態様にしておいても第２の文字表示態様に基づく文字を表示することができると共に、逆に表示モードを第２の文字表示態様にしておいても第１の文字表示態様に基づく文字を表示することができる、ディスク再生装置におけるグループ名の表示制御装置を提供することにある。
【００２２】
【課題を解決するための手段】
前記課題を解決するために、本発明によるディスク再生装置におけるグループ名の表示制御装置は、次に記載するような特徴的な構成を採用している。
【００２３】
（１）複数の曲データのそれぞれのタイトル名称データとグループ化名称データが、第１の文字表示態様で記録された第１の文字データ格納クラスタに基づいて行われる第１の文字表示モードと、
前記複数の曲データそれぞれのタイトル名称データとグループ化名称データが、前記第１の文字表示態様とは異なる態様の第２の文字表示態様で記録された第２の文字データ格納クラスタに基づいて行われる第２の文字表示モードとを選択して文字表示し得るディスク再生装置において、
前記第１の文字データ格納クラスタにグループ化名称データが格納され、前記第２の文字データ格納クラスタにグループ化名称データが格納されていないディスクを再生したときに、
前記第２の文字表示モードが選択されているときに、前記第１の文字データ格納クラスタに格納されているグループ化名称データを表示し得るように表示制御する、ディスク再生装置におけるグループ名の表示制御装置。
【００２４】
（２）複数の曲データのそれぞれのタイトル名称データとグループ化名称データが、第１の文字表示態様で記録された第１の文字データ格納クラスタに基づいて行われる第１の文字表示モードと、
前記複数の曲データそれぞれのタイトル名称データとグループ化名称データが、前記第１の文字表示態様とは異なる態様の第２の文字表示態様で記録された第２の文字データ格納クラスタに基づいて行われる第２の文字表示モードとを選択して文字表示し得るディスク再生装置において、
前記第２の文字データ格納クラスタにグループ化名称データが格納され、前記第１の文字データ格納クラスタにグループ化名称データが格納されていないディスクを再生したときに、
前記第１の文字表示モードが選択されているときに、前記第２の文字データ格納クラスタに格納されているグループ化名称データを表示し得るように表示制御する、ディスク再生装置におけるグループ名の表示制御装置。
【００２５】
（３）前記第１の文字データ格納クラスタは、ＭＤ規格のクラスタ１で構成する上記（１）または（２）のディスク再生装置におけるグループ名の表示制御装置。
【００２６】
（４）前記第２の文字データ格納クラスタは、ＭＤ規格のクラスタ４で構成する上記（１）または（２）のディスク再生装置におけるグループ名の表示制御装置。
【００２７】
（５）前記複数の曲データのそれぞれは、音声信号で構成する上記（１）または（２）のディスク再生装置におけるグループ名の表示制御装置。
【００２８】
（６）前記複数の曲データのそれぞれは、音声信号に付随する映像信号を含んで構成する上記（１）または（２）のディスク再生装置におけるグループ名の表示制御装置。
【００２９】
【発明の実施の形態】
以下、本発明の実施の形態について図面を用いて詳細に説明する。先ず、ディスク再生装置の全体回路構成を示す図１を用いて構成説明する。ディスク再生装置の全体を複合的に制御するためのＣＰＵ１が設けられ、光ピックアップ２と信号処理部３と再生操作キー４と表示部５が接続され、再生操作キー４を操作することによってミニディスクＤに記録されているピット信号が光ピックアップ２によって読み取られ、信号処理部３によって復号、誤り訂正処理、Ｄ／Ａ変換処理等々が行われて得られた音声信号が不図示の音声増幅回路に出力される。
【００３０】
ＣＰＵ１に接続されたセクタ判定部６は、再生されているミニディスクＤがセクタ１とセクタ４にどのような文字表示をするモードになっているかを判定するように構成され、具体的にはＣＰＵ１との間で行われる判定プログラムに基づいてソフトウエア的に実行される。
【００３１】
ＣＰＵ１に接続された表示操作キー７は、表示部５への表示内容の種類と表示状態を制御指令するための多数のキーで構成され、表示操作キー７の内のグループサーチキー７ａは、グループ名を表示させながら所望のグループを探す制御を指令するもので、次キー７ｂは、現在表示されているグループ名の次グループに移行させる制御指令するためのキーで、押操作回数に応じて所望の先グループに移行させることができ、前キー７ｃは、現在表示されているグループ名の前グループに移行させる制御指令するためのキーで、押操作回数に応じて所望の前グループに移行させることができる。
【００３２】
グループ名キー７ｄは、表示部５に現在表示されている内容に優先してグループ名を表示部５に表示させる指令を与えるもので、ディスク名キー７ｅは、表示部５に現在表示されている内容に優先して現在装着されているミニディスクＤのディスク名を表示部５に表示させることができ、現在再生中のトラック名を表示部５に表示させることができ、再生時間キー７ｇは、現在再生中のトラックの再生経過時間を表示部５に表示させることができる。
【００３３】
以上のように構成された本実施形態の表示制御装置におけるグループ名の表示動作を図２に示すフローチャートを用いて次に説明する。
【００３４】
図２に示すフローチャートにおいて、先ずステップＳ２６によって、現在再生されているミニディスクＤがグループ管理なしか否かの判定が主としてセクタ判定部６によってなされ、管理なしの場合（Ｙｅｓの場合）にはステップＳ２７に進んでグループ管理無しを意味する「ＮＯ　ＧＲＯＵＰ」と表示部５に表示して一連動作を終了する。
【００３５】
また、ステップＳ２６によりグループ管理ありと判定された場合（Ｎｏの場合）にはステップＳ２８に進んで表示セクタがセクタ４に設定されているか否かが判定され、設定されていない場合（Ｎｏの場合）には、ステップＳ２９に進んでセクタ１のグループ名が有るか否かが判定され、グループ名が無しの場合（Ｎｏの場合）にはステップＳ３０に進んで、グループ＊＊と表示して一連動作を終了する。なお、この＊＊はグループの数であり例えば最大で９９までに対応している。
【００３６】
一方、ステップＳ２９でセクタ１のグループ名が有ると判定された場合（Ｙｅｓの場合）にはステップＳ３１に進んで、セクタ４のディスクタイトルを信号処理部３から読み込んだ後にステップＳ３２に進んでグループ名の数字を表示部５に具体的に表示して一連動作を終了する。
【００３７】
さて、ステップＳ２８によって表示セクタがセクタ４に設定されていると判定された場合（Ｙｅｓの場合）には、ステップＳ３３に進んでセクタ４のグループ管理が無しであるか否かが判定され、グループ管理が無しの場合（Ｙｅｓの場合）にはステップＳ３４に進んで、セクタ１のグループ名が有るか否かが判定され、グループ名が無い場合にはステップＳ３５に進んで表示部５にグループ＊＊と表示して一連動作を終了する。なお、この＊＊はグループの数であり例えば最大で９９までに対応していてこれ以降の説明においても同様である。
【００３８】
ステップＳ３４によってセクタ１のグループ名が有ると判定された場合（Ｙｅｓの場合）にはステップＳ３６に進んで、セクタ１のディスクタイトルを信号処理部３から読み込んだ後にステップＳ３７に進んでグループ名の数字を表示部５に具体的に表示して一連動作を終了する。
【００３９】
一方、ステップＳ３３によってセクタ４のグループ管理が有りと判定された場合（Ｎｏの場合）にはステップＳ３８に進んで、セクタ４のグループ名が有るか否かが判定され、グループ名が無しの場合（Ｎｏの場合）にはステップＳ３９に進んで、具体的なグループ名を表示部５にグループ＊＊と表示して一連動作を終了し、ステップＳ３８によってセクタ４のグループ名が有ると判定された場合（Ｙｅｓの場合）にはステップＳ４０に進んで、セクタ４のディスクタイトルを信号処理部３から読み込んだ後にステップＳ４１に進んでグループ名の数字を表示部５に具体的に表示して一連動作を終了する。
【００４０】
よって、セクタ１しかグループ管理していないミニディスクＤを再生し、表示セクタ４にしていたときでも、グループ名称を見たいときは、セクタ１に格納されているグループ名称が表示され、グループサーチ中においてもグループ名称を見ながら所望のグループを選択することができる。
【００４１】
【発明の効果】
以上の説明で明らかなように、本発明によるディスク再生装置におけるグループ名の表示制御装置は、ディスク再生装置における表示モードを第１の文字表示態様にしておいても第２の文字表示態様に基づく文字を表示することができると共に、逆に表示モードを第２の文字表示態様にしておいても第１の文字表示態様に基づく文字を表示することができる。
【図面の簡単な説明】
【図１】本発明の実施の形態によるディスク再生装置におけるグループ名の表示制御装置のブロック回路図である。
【図２】図１に示されるディスク再生装置におけるグループ名の表示制御動作を説明するためのフローチャートである。
【図３】従来のディスク再生装置におけるグループ管理の有無のチェック動作を説明するためのフローチャートである。
【図４】従来のディスク再生装置におけるグループ名の表示制御動作を説明するためのフローチャートである。
【符号の説明】
１　　ＣＰＵ
２　　光ピックアップ
３　　信号処理部
４　　再生操作キー
５　　表示部
６　　セクタ判定部
７　　表示操作キー
７ａ　グループサーチキー
７ｂ　次キー
７ｃ　前キー
７ｄ　グループ名キー
７ｅ　ディスク名キー
７ｆ　トラック名キー
７ｇ　再生時間キー
Ｄ　　ミニディスク
【図１】
2004079080.tif 000003
【図２】
2004079080.tif 000004
【図３】
2004079080.tif 000005
【図４】
2004079080.tif 000006